(57)【要約】【課題】容器本体に収容された液体を、吐出レバーのフルストロークまでの回動動作にて所望の量で吐出すること。【解決手段】容器本体１１内に収容された液体を吐出するポンプディスペンサー１Ａである。ポンプディスペンサー１Ａは、容器本体１１内に収容された液体を吸い上げるポンプ機構２０、及び該ポンプ機構２０により吸い上げられた液体を吐出する吐出ノズル２１を有する本体部２と、本体部２に回動軸３０を介して接続され、該回動軸３０を中心に変位することでポンプ機構２０が吸い上げた容器本体１１内の液体を吐出ノズル２１から吐出させる吐出レバー３と、本体部２に対する吐出レバー３の回動量に基づいて吐出ノズル２１から吐出される液体の吐出量を使用者に知らせる表示部４Ａとを備えている。【選択図】図１
2019051948.tif 000002
【特許請求の範囲】
【請求項１】
容器本体内に収容された液体を吐出するポンプディスペンサーであって、
前記容器本体内に収容された液体を吸い上げるポンプ機構、及び該ポンプ機構により吸い上げられた液体を吐出する吐出ノズルを有する本体部と、
前記本体部に回動軸を介して接続され、該回動軸を中心に変位することで前記ポンプ機構が吸い上げた前記容器本体内の液体を前記吐出ノズルから吐出させる吐出レバーと、
前記本体部に対する前記吐出レバーの変位量に基づいて前記吐出ノズルから吐出される液体の吐出量を使用者に知らせる表示部とを備えているポンプディスペンサー。
【請求項２】
前記表示部は、前記本体部及び前記吐出レバーの一方に設けられ、液体の吐出量の目盛を有する目盛部と、前記本体部及び前記吐出レバーの他方に設けられ、液体の吐出量に対応する前記目盛部の目盛を示す目印とを有する、請求項１に記載のポンプディスペンサー。
【請求項３】
前記吐出レバーの回動に連動して、前記目盛部及び前記目印の一方は動き、前記目盛部及び前記目印の他方は動かない、請求項２に記載のポンプディスペンサー。
【請求項４】
前記表示部は、前記目盛部が前記吐出レバーに設けられ、前記目印が前記本体部に設けられており、前記吐出レバーの変位量に連動して、該吐出レバーの前記目盛に対する前記本体部の前記目印の相対的な位置が変化して液体の吐出量を知らせるようになされている、請求項２に記載のポンプディスペンサー。
【請求項５】
前記表示部は、前記目印が前記吐出レバーに設けられ、前記目盛部が前記本体部に設けられており、前記吐出レバーの変位量に連動して、前記目盛部が前記吐出レバーの前記目印の近傍から突出して液体の吐出量を知らせるようになされている、請求項２に記載のポンプディスペンサー。
【請求項６】
前記表示部は、前記吐出レバーの変位量に対応した目盛が表示された目盛部を、該吐出レバーの変位量に基づいて出現させて、液体の吐出量を使用者に知らせるようになされている、請求項１に記載のポンプディスペンサー。
【請求項７】
請求項１〜６の何れか１項に記載のポンプディスペンサーと、該ポンプディスペンサーが取り付けられ、液体が収容された容器本体とを備える吐出容器。
【発明の詳細な説明】
【技術分野】
【０００１】
本発明は、容器本体内に収容された液体を吐出するポンプディスペンサー及び該ポンプディスペンサーを有する吐出容器に関する。
【背景技術】
【０００２】
一般に、シャンプー液、リンス液、化粧液、薬剤、及び調味料等の液体が収容された容器本体に取り付けて、これら液体を吸い上げて吐出ノズルから吐出させるポンプ機構を有するポンプディスペンサーが知られている。このようなポンプディスペンサーには、吐出ノズルが一体形成されたポンプヘッドを押し下げることでポンプ機構を駆動して液体を吐出する押し下げ方式のものと、吐出ノズルが別体に形成された吐出レバーを回動軸を中心に回動させることでポンプ機構を駆動して液体を吐出する回動方式のものとがある。
【０００３】
例えば特許文献１には、吐出レバーを梃子の原理を用いて押し下げてポンプ機構を駆動して、液体を吐出する回動方式のポンプディスペンサーが記載されている。回動方式のポンプディスペンサーは、ポンプヘッドを押し下げる方式のポンプディスペンサーと異なり、吐出ノズルが固定された状態で液体を吐出するため、押し下げ方式よりも液体の安定した吐出が可能になる。
【先行技術文献】
【特許文献】
【０００４】
【特許文献１】特開２０１６−２２４６６号公報
【発明の概要】
【発明が解決しようとする課題】
【０００５】
しかし、特許文献１に記載の回動方式のポンプディスペンサーは、吐出レバーをフルストローク回動させた場合の液体の吐出量は予め設定されている場合でも、フルストローク以外の回動動作での吐出量の設定はされていない。従って、例えば、フルストローク以外の回動動作において、吐出する液体の吐出量の調整を行うことが出来ず、ましてや吐出する液体の計量を行うこともできない。
【０００６】
したがって本発明の課題は、前述した従来技術が有する欠点を解消し得るポンプディスペンサー及び該ポンプディスペンサーを有する吐出容器を提供することにある。
【課題を解決するための手段】
【０００７】
本発明は、容器本体内に収容された液体を吐出するポンプディスペンサーであって、前記容器本体内に収容された液体を吸い上げるポンプ機構、及び該ポンプ機構により吸い上げられた液体を吐出する吐出ノズルを有する本体部と、前記本体部に回動軸を介して接続され、該回動軸を中心に変位することで前記ポンプ機構が吸い上げた前記容器本体内の液体を前記吐出ノズルから吐出させる吐出レバーと、前記本体部に対する前記吐出レバーの変位量に基づいて前記吐出ノズルから吐出される液体の吐出量を使用者に知らせる表示部とを備えているポンプディスペンサーを提供するものである。
【０００８】
また本発明は、前記ポンプディスペンサーと、該ポンプディスペンサーに取り付けられ、液体が収容された容器本体とを備える吐出容器を提供するものである。
【発明の効果】
【０００９】
本発明のポンプディスペンサー及び吐出容器によれば、容器本体に収容された液体を、吐出レバーのフルストロークまでの回動動作にて所望の量で吐出することができる。
【図面の簡単な説明】
【００１０】
【図１】図１は、本発明の第１実施形態のポンプディスペンサー及び吐出容器を示す斜視図である。
【図２】図２は、図１に示すポンプディスペンサーの側面図である。
【図３】図３は、図２に示すポンプディスペンサーの縦断面図である。
【図４】図４は、図１に示すポンプディスペンサーの吐出レバーを回動させる前の表示部の部分拡大図である。
【図５】図５（ａ）は図１に示すポンプディスペンサーの吐出レバーをフルストローク回動させた状態の斜視図であり、図５（ｂ）は表示部の部分拡大図である。
【図６】図６は、本発明の好ましい第２実施形態のポンプディスペンサーの斜視図である。
【図７】図７は、図６に示すポンプディスペンサーの側面図である。
【図８】図８は、図７に示すポンプディスペンサーの縦断面図出ある。
【図９】図９は、図６に示すポンプディスペンサーの吐出レバーを回動させる前の表示部の部分拡大図である。
【図１０】図１０（ａ）は、図６に示すポンプディスペンサーの吐出レバーをフルストローク回動させた状態の斜視図であり、図１０（ｂ）は表示部の部分拡大図である。
【図１１】図１１は、本発明の好ましい第３実施形態のポンプディスペンサーの斜視図である。
【図１２】図１２は、図１１に示すポンプディスペンサーの平面図である。
【図１３】図１３（ａ）は、吐出レバーを回動させる前の図９に示すポンプディスペンサーの斜視図であり、図１３（ｂ）は表示部の部分拡大図である。
【図１４】図１４（ａ）は、吐出レバーを回動させた後の図９に示すポンプディスペンサーの斜視図であり、図１４（ｂ）は表示部の部分拡大図である。
【図１５】図１５（ａ）は、吐出レバーをフルストローク回動させた後の図９に示すポンプディスペンサーの斜視図であり、図１５（ｂ）は表示部の部分拡大図である。
【発明を実施するための形態】
【００１１】
以下、本発明のポンプディスペンサー及び吐出容器を、その好ましい実施形態に基づき説明する。図１〜図５には、本発明の第１実施形態のポンプディスペンサー１Ａ及び吐出容器１０Ａが示されており、図１には、第１実施形態の吐出容器１０Ａが、第１実施形態のポンプディスペンサー１Ａと容器本体１１とに分離された状態が示されている。図２には図１のポンプディスペンサー１Ａの側面図が示されており、図３には図１のポンプディスペンサー１Ａの縦断面図が示されている。図４には吐出レバー３を回動させる前のポンプディスペンサー１Ａの表示部４Ａが示されている。図５（ａ）には、吐出レバー３をフルストローク回動させた状態が示されており、図５（ｂ）にはポンプディスペンサー１Ａの表示部４Ａが示されている。
【００１２】
図１に示すように、第１実施形態の吐出容器１０Ａは、容器本体１１Ａ内に収容された液体を吐出するポンプ式のディスペンサー１Ａと、該ポンプディスペンサー１Ａが取り付けられ、液体が収容された容器本体１１とを備えている。
吐出容器１０Ａでは、容器本体１１は、図１に示すように、口部１１ａ及び胴部１１ｂを有しており、液体を収容可能に形成されている。容器本体１１に収容される液体としては、例えば、シャンプー液、リンス液、化粧液、液体洗剤、薬剤及び調味料等が挙げられる。吐出容器１０Ａでは、液体として、液体洗剤や調味料等を好適に用いることができる。
【００１３】
吐出容器１０Ａでは、図１〜図３に示すように、ポンプディスペンサー１Ａは、容器本体１１内に収容された液体を吸い上げるポンプ機構２０、及びポンプ機構２０により吸い上げられた液体を吐出する吐出ノズル２１を有する本体部２と、本体部２に回動軸３０を介して接続され、該回動軸３０を中心に変位することでポンプ機構２０が吸い上げた容器本体１１内の液体を吐出ノズル２１から吐出させる吐出レバー３と、本体部２に対する吐出レバー３の変位量に基づいて吐出ノズル２１から吐出される液体の吐出量を使用者に知らせる表示部４Ａとを備えている。
【００１４】
ポンプディスペンサー１Ａでは、本体部２は、図１及び図２に示すように、更に、ポンプ機構２０及び吐出ノズル２１を固定支持するハウジング２２、使用者が把持可能に形成される把持部２３、及び容器本体１１の口部１１ａに取り付け可能に形成されるキャップ部２４を有している。即ちポンプディスペンサー１Ａでは、本体部２は、ポンプ機構２０、吐出ノズル２１、ハウジング２２、把持部２３、及びキャップ部２４を有している。
【００１５】
ポンプ機構２０は、ハウジング２２に固定支持されている。ポンプ機構２０は、直圧式のポンプであり、例えば、シリンダ内部に配されるピストンを摺動させると共に、液体が流通する流通路の吐出弁及び吸入弁を開閉させて、容器本体１１内に収容された液体を、該液体と該シリンダとを連通させるディップチューブ２５から該流通路を介して吐出させるようになっている。
ポンプディスペンサー１Ａでは、ポンプ機構２０は、図１〜図３に示すように、回動軸３０を中心に吐出レバー３を矢印Ｒ１方向に回動させるとピストンが押し下げられ、流通路内に閉じ込められている液体が吐出弁を押し開いて所定量吐出されるようになっている。その後、ポンプ機構２０は、バネ２６の付勢力で吐出レバー３が矢印Ｒ２方向に回動すると、ピストンが押し上げられ、負圧により吸入弁が開いて所定量の液体をディップチューブ２５を介して流通路内に吸い上げるようになっている。
なお、斯かる構成のポンプ機構２０は公知であり、第１実施形態の吐出容器における後述する表示部３３Ａ以外の構成は、例えば、特許文献１に記載のポンプ式吐出容器と同一構成を用いることができる。
【００１６】
吐出ノズル２１は、図２に示すように、ポンプ機構２０の流通路に連通した状態でハウジング２２に固定支持されている。即ちポンプディスペンサー１Ａでは、吐出ノズル２１が固定された状態で液体が吐出されるようになっている。ポンプディスペンサー１Ａは、吐出ノズル２１が固定された状態で液体を吐出することで、液体が安定して吐出されるようになっている。
【００１７】
把持部２３は、図２に示すように、ハウジング２２と一体に形成されており、吐出ノズル２１の延出方向、即ち、吐出ノズル２１から吐出される液体の吐出方向Ｘ１と異なる方向に延出している。ポンプディスペンサー１Ａでは、把持部２３は、ポンプ機構２０を中心として、吐出ノズル２１の延出方向と反対方向に向かってハウジング２２から延出している。また、把持部２３は、ハウジング２２から下方に垂れ下がった状態でハウジング２２から延出している。
【００１８】
キャップ部２４は、ポンプ機構２０のピストン（図示せず）と同軸上且つハウジング２２の下方にて、該ハウジング２２に回転可能に支持されている。キャップ部２４は、その内周面に螺合溝（図示せず）が形成されており、例えば、液体が収容された容器（図示せず）の口部に形成された螺合部（図示せず）に螺合可能となっている。
【００１９】
ポンプディスペンサー１Ａでは、吐出レバー３は、平面視して舌状に形成されている。吐出レバー３は、図１及び図２に示すように、長手方向の一端部が回動軸３０を介して本体部２のハウジング２２に回動自在に接続され、長手方向の他端部には、その上面３ｕに使用者の指を押し当て可能な指当て部３１が形成されている。長手方向の回動軸３０と指当て部３１との間には、後述する目盛部４０Ａが配される凹部３３が形成されている。回動軸３０は、吐出ノズル２１の近傍にて、該吐出ノズル２１の吐出方向Ｘ１と交差する方向に配されている。ポンプディスペンサー１Ａでは、吐出レバー３は、吐出ノズル２１の上方にて、該吐出ノズル２１の吐出方向Ｘ１と交差する方向に配された回動軸３０を介して、本体部２のハウジング２２に回動自在に支持されている。指当て部３１は、平面視して略楕円状、且つ断面視して凹状に形成されている。凹部３３は、平面視して指当て部３１よりも大きな略楕円状、且つ断面視して指当て部３１よりも大きな凹状に形成されている。
【００２０】
回動軸３０と指当て部３１との間には、吐出レバー３の下面３ｄ側にピストンシャフト３２が配されている。ピストンシャフト３２は、凹部３３の下方、且つポンプ機構２０の上方に位置しており、ピストンを押圧可能に形成されている。また、ピストンシャフト３２は、吐出レバー３の下面３ｄに係合しており、吐出レバー３の回動量（ストローク量）を規制している。このように吐出レバー３は、回動軸３０を支点、指当て部３１を力点とし、ピストンシャフト３２を作用点とした梃子の原理を利用してポンプ機構２０のピストンを押圧する構造となっている。
【００２１】
ポンプディスペンサー１Ａでは、吐出レバー３を回動軸３０を中心にフルストローク回動させると、予め設定された所定量の液体が吐出されるようになっている。なお「フルストローク回動」とは、吐出レバー３を回動可能な範囲の最大限まで回動させることをいう。
吐出レバー３をフルストローク回動させた後の液体の吐出量は、例えば、吐出レバー３を回動させる前のピストン位置でのシリンダ内の液体保持空間Ｓの容積と、吐出レバー３をフルストローク回動させた後のピストン位置でのシリンダ内の液体保持空間Ｓの容積との差である。従って、この差が所定の値となるように設計段階にて予め設計しておくことで、吐出レバー３をフルストローク回動させることにより所定量の液体が吐出されるようになる。
予め設定される液体の吐出量は特に制限はないが、容器本体１１内に収容される液体の種類に応じて設定することが好ましい。例えば、シャンプー液、リンス液、化粧液、薬剤、及び調味料等の液体の種類に応じて設定することが好ましい。具体的には、ｍｌ（ミリリットル）、ｃｃ（シーシー）等に設定することが好ましい。また例えば、大さじ一杯等の特定の液体に特化した吐出量に設定してもよい。
【００２２】
表示部４Ａは、本体部２及び吐出レバー３の一方に設けられ、液体の吐出量の目盛４１Ａを有する目盛部４０Ａと、本体部２及び吐出レバー３の他方に設けられ、液体の吐出量に対応する目盛部４０Ａの目盛４１Ａを示す目印４２Ａとを有している。
ポンプディスペンサー１Ａでは、表示部４Ａは、図１〜図３に示すように、目盛部４０Ａが吐出レバー３に設けられ、目印４２Ａが本体部２に設けられており、吐出レバー３の変位量（第１実施形態では回動量）に連動して、吐出レバー３の目盛４１Ａに対する本体部２の目印４２Ａの相対的な位置、即ち吐出量を知らせるようになっている。
【００２３】
目盛部４０Ａは、図１〜図３に示すように、吐出レバー３の上面３ｕに設けられた凹部３３から突出形成されている。目盛部４０Ａは、使用者の視認性を向上させる観点から、目盛４１Ａ等が配される目盛面４３Ａが指当て部３１側を向くように形成されている。また目盛面４３Ａは、同様の観点から、指当て部３１側に隆起した湾曲形状に形成されている。
【００２４】
目盛部４０Ａは、図３に示すように、その内部が中空状に形成されており、図４及び図５に示すように、目盛面４３Ａには、該目盛面４３Ａを貫通するスリット部４４Ａが形成されている。スリット部４４Ａは、吐出レバー３の回動の軌跡と略平行に形成されている。スリット部４４Ａの両側には、目盛４１Ａが設けられている。目盛４１Ａは、数値のみであってもよく、数値及び線の組み合わせであってもよく、数値及びマーク等の組み合わせであってもよい。
【００２５】
ポンプディスペンサー１Ａでは、目盛４１Ａは、吐出レバー３の回動量に応じた液体の吐出量となっている。ポンプディスペンサー１Ａでは、吐出レバー３の回動量に応じた複数の目盛４１Ａが表示されており、所望の量の目盛４１Ａに目印４２Ａを合わせると、所望の量の液体が吐出されるようになっている。例えば、目印４２Ａを目盛４１Ａの「５」に合わせると、５ｍｌの液体が吐出され、目印４２Ａを目盛４１Ａの「３」に合わせると３ｍｌの液体が吐出されるようになっている。
【００２６】
なお、目盛部４０Ａに表示される目盛４１Ａに特に制限はないが、容器本体１１内に収容される液体の種類に応じて設定されることが好ましい。例えば、シャンプー液、リンス液、化粧液、薬剤及び調味料等の液体の種類に応じて設置することが好ましい。また、例えば、フルストローク回動させた際の吐出量に対する割合を表示してもよい。例えば、フルストロークを１として、「３／４」、「１／２」及び「１／４」としてもよく、「０．７５」、「０．５」及び「０．２５」としてもよい。また例えば、大さじ一杯（例えば「大１」）、小さじ一杯（例えば「小１」）等の特定の液体に特化した表示としてもよい。また、吐出量の割合に対応するマーク等を表示してもよい。
【００２７】
目印４２Ａは、図３に示すように、本体部２のポンプ機構２０の上部に固定されており、図３（ｂ）及び図４（ｂ）に示すように、目盛部４０Ａのスリット部４４Ａから露出するように中空状の該目盛部４０Ａの内部に配されている。ポンプディスペンサー１Ａでは、目印４２Ａは、吐出レバー３を回動させていない状態（図４参照）では、「０」を示し、吐出レバー３の回動量に応じて順に「１」又は「３」を示すようになり、吐出レバー３をフルストローク回動させた状態（図５参照）では、「５」を示すようになっている。
【００２８】
このようにポンプディスペンサー１Ａでは、表示部４Ａは、目印４２Ａが動かないのに対して目盛部４０Ａが吐出レバー３の回動に連動して回動することで、目印４２Ａが示す目盛４１Ａの数字が変わり、吐出レバー３の回動に応じて吐出される液体の吐出量を使用者に知らせるようになっている。
【００２９】
以上説明したように、ポンプディスペンサー１Ａは、ポンプ機構２０及び吐出ノズル２１を有する本体部２と、該本体部２に回動軸３０を介して接続される吐出レバー３と、吐出レバー３の回動量に基づいて液体の吐出量を使用者に知らせる表示部４Ａとを備えている。その為、容器本体１１に収容された液体を、吐出レバー３のフルストロークまでの回動動作にて所望の量を吐出することができる。そして、例えば、吐出レバー３の回動途中での吐出量を予め確認したり、吐出量を調整したりすることが可能になる。
【００３０】
また、ポンプディスペンサー１Ａは、吐出レバー３に設けられ液体の吐出量の目盛４１Ａを表示する目盛部４０Ａと、本体部２に設けられ液体の吐出量に対応する目盛部４０Ａの目盛４１Ａを示す目印４２Ａを有している。その為、吐出レバー３の回動に連動して目印４２Ａが目盛部４０Ａに対して相対的に移動して目盛４１Ａを示すので、吐出量を容易に確認することができ、所望の吐出量に調整して液体を吐出することができる。
【００３１】
次に、本発明の第２実施形態のポンプディスペンサー１Ｂについて、図６〜図１０に基づいて説明する。図６には、本発明の好ましい第２実施形態のポンプディスペンサー１Ｂの斜視図が示されており、図７には図６に示すポンプディスペンサー１Ｂの側面図が示されており、図８には図６に示すポンプディスペンサー１Ｂの縦断面図が示されている。図９には吐出レバー３を回動させる前のポンプディスペンサー１Ｂの表示部４Ｂが示されている。図１０（ａ）には、吐出レバー３をフルストローク回動させた状態が示されており、図１０（ｂ）にはポンプディスペンサー１Ｂの表示部４Ｂが示されている。
【００３２】
第２実施形態のポンプディスペンサー１Ｂについては、第１実施形態のポンプディスペンサー１Ａと異なる点について説明する。特に説明しない点は、ポンプディスペンサー１Ａと同様であり、ポンプディスペンサー１Ａの説明が適宜適用される。
【００３３】
第１実施形態のポンプディスペンサー１Ａでは、目盛部４０Ａが吐出レバー３に設けられ、目印４２Ａが本体部２に設けられているところ、第２実施形態のポンプディスペンサー１Ｂでは、図６〜図８に示すように、目盛部４０Ｂが本体部２に設けられ、該目盛部４０Ｂを出現させる出現孔４４Ｂ及び目盛部４０Ｂの目盛４１Ｂを指し示す目印４２Ｂが吐出レバー３に設けられている。そして、図９及び図１０に示すように、ポンプディスペンサー１Ｂでは、吐出レバー３の変位量に連動して、目盛部４０Ｂが吐出レバー３に形成された出現孔４４Ｂから出現して液体の吐出量を知らせるようになっている。
【００３４】
ポンプディスペンサー１Ｂでは、目盛部４０Ｂは、図９及び図１０に示すように、板状に形成されており、幅方向が吐出レバー３の長手方向と略直交するようにポンプ機構２０の上部に固定されている。目盛部４０Ｂは、使用者の視認性を向上させる観点から、出現孔４４Ｂから出現した際に、目盛部４０Ｂに表示された目盛４１Ｂが配される面が指当て部３１側を向くように形成されている。また目盛部４０Ｂは、同様の観点から、目盛４１Ｂが配される面が指当て部３１側に隆起した湾曲形状に形成されている。更に目盛部４０Ｂは、吐出レバー３を回動させる前の状態においては、吐出レバー３の上面３ｕから突出しないようになっている。
【００３５】
目印４２Ｂは、吐出レバー３の上面３ｕに形成された出現孔４４Ｂの近傍に配されており、指当て部３１側から出現孔４４Ｂを見た場合に、出現孔４４Ｂから突出する目盛部４０Ｂに表示された目盛４１Ｂを差し示すようになっている。なお近傍とは、出現孔４４Ｂに隣接するように配される必要は必ずしもなく、出現孔４４Ｂから突出する目盛部４０Ｂに表示された目盛４１Ｂを差し示すことが可能な位置であればよいことを意味する。ポンプディスペンサー１Ｂでは、目印４２Ｂは、吐出レバー３を回動させていない状態（図９参照）では、「０」を意味する丸印を示し、吐出レバー３の回動量に応じて順に「１」又は「３」を示すようになり、吐出レバー３をフルストローク回動させた状態（図１０参照）では、「５」を示すようになっている。
【００３６】
このようにポンプディスペンサー１Ｂでは、表示部４Ｂは、目盛部４０Ｂが動かないのに対して、目印４２Ｂが吐出レバー３の回動に連動して回動することで、目印４２Ａが示す目盛部４０Ｂの目盛４１Ａの数字が変わり、吐出レバー３の回動に応じて吐出される液体の吐出量を使用者に知らせるようになっている。
【００３７】
以上説明したように、ポンプディスペンサー１Ｂは、目印４２Ｂが吐出レバー３に設けられ、目盛部４０Ｂが本体部２に設けられている。そして、吐出レバー３の変位量に連動して、目盛部４０Ｂが吐出レバー３の目印４２Ｂの近傍から突出して液体の吐出量を知らせるようになっている。その為、容器本体１１に収容された液体を、吐出レバー３のフルストロークまでの回動動作にて所望の量吐出することができる。そして、例えば、吐出レバー３の回動に連動して目印４２Ｂが目盛部４０Ｂに対して相対的に移動して目盛４１Ｂを示すので、所望の吐出量を容易に確認することができる。
【００３８】
また、ポンプディスペンサー１Ｂでは、表示部４Ｂは、吐出レバー３の変位量に対応した目盛４１Ｂが表示された目盛部４０Ｂを、該吐出レバー３の回動量に基づいて出現させて、液体の吐出量を使用者に知らせるようになっている。つまり、吐出レバー３を回動させる前の状態では、目盛部４０Ｂは、吐出レバー３の上面３ｕから突出しないようになっている。言い換えると、吐出レバー３を回動させる前の状態では、目盛部４０Ｂは、吐出レバー３の内部に隠れている。その為、目盛部４０Ｂが邪魔になること等が防止され、目盛部４０Ｂが破損等することも防止することができる。また、吐出レバー３の内部に隠れた状態から目盛部４０Ｂが吐出レバー３の回動に連動して出現するという突飛な動きをするので、使用者が注目し易い構成になっている。その為、使用者がより吐出量を確認するようになるので、液体を不要に吐出することが抑制される。また意匠性に優れる。
【００３９】
次に、本発明の第３実施形態のポンプディスペンサー１Ｃについて、図１１〜図１５に基づいて説明する。図１１には、本発明の好ましい第３実施形態に係るポンプディスペンサー１Ｃの斜視図が示されており、図１２には、平面図が示されている。図１３には、吐出レバー３を回動させる前のポンプディスペンサー１Ｃの表示部４Ｃが示されており、図１４には、吐出レバー３を回動させた後のポンプディスペンサー１Ｃの表示部４Ｃが示されており、図１５には、吐出レバー３をフルストローク回動させた状態のポンプディスペンサー１Ｃの表示部４Ｃが示されている。
【００４０】
第３実施形態のポンプディスペンサー１Ｃについては、第１実施形態のポンプディスペンサー１Ａと異なる点について説明する。特に説明しない点は、ポンプディスペンサー１Ａと同様であり、ポンプディスペンサー１Ａの説明が適宜適用される。
【００４１】
第１実施形態のポンプディスペンサー１Ａでは、表示部４Ａは、目盛部４０Ａが吐出レバー３に突出形成され、目印４２Ａが目盛部４０Ａのスリット部４４Ａ内を相対移動して吐出量を知らせるところ、第３実施形態のポンプディスペンサー１Ｃでは、図１１及び図１２に示すように、吐出レバー３を回動させ、吐出レバー３の変位量に連動して、吐出レバー３の上面３ｕを目盛部４０Ｃとして該上面３ｕに表示された目盛４１Ｃと、本体部２に設けられた目印４２Ｃとを平面視して一致させることで使用者に吐出量を知らせるようになっている。
【００４２】
ポンプディスペンサー１Ｃでは、図１３、図１４及び図１５に示すように、吐出レバー３の上面３ｕに目盛４１Ｃが配されている。また、ポンプディスペンサー１Ｃでは、図１１に示すように、本体部２のハウジング２２Ｃが上方に延出しており、該ハウジング２２Ｃの頂部に複数の目印４２Ｃが配されている。複数の目印４２Ｃのそれぞれは、吐出レバー３の回動量に応じて吐出される液体の吐出量に対応した目盛４１Ｃを示すようになっている。
【００４３】
例えば、吐出レバー３を回動させる前の状態においては、ポンプディスペンサー１Ｃを平面視すると、図１３に示すように、目盛４１Ｃが複数の目印４２Ｃの何れとも一致しない状態となっている。その後、吐出レバー３を所定量回動させ、目盛４１Ｃの「２．５」と目印４２Ｃとを平面視において一致させると（図１４参照）、例えば、２．５ｍｌの液体が吐出された状態となる。そして、吐出レバー３をフルストローク回動させ、目盛４１Ｃの「５」と目印４２Ｃとを平面視において一致させると（図１５参照）、例えば、５ｍｌの液体が吐出された状態となる。
【００４４】
このようにポンプディスペンサー１Ｃでは、吐出レバー３の上面３ｕに配された目盛４１Ｃと複数の目印４２Ｃの何れかとを平面視した状態で一致させることで、吐出レバー３の回動に応じて吐出される液体の吐出量を使用者に知らせるようになっている。
【００４５】
以上説明したように、ポンプディスペンサー１Ｃは、吐出レバー３の上面３ｕに目盛４１Ｃを配すると共に、本体部２のハウジング２２Ｃの頂部に複数の目印４２Ｃを配している。そして、吐出レバー３の上面３ｕを平面視した際の目盛４１Ｃから液体の吐出量を使用者に知らせるようになっている。その為、吐出レバー３の上面３ｕから突出するものが無くなり、例えば、ポンプディスペンサー１Ｃを小型化することができる。
【００４６】
以上、本発明のポンプディスペンサー及び該ポンプディスペンサーを有する吐出容器をその好ましい第１〜第３実施形態に基づき説明したが、本発明のポンプディスペンサー及び吐出容器は第１〜第３実施形態に限定されない。
【００４７】
例えば、本実施形態のポンプディスペンサー１Ａ，１Ｂ，１Ｃ及び吐出容器１０においては、吐出レバーを押し下げて回動させたが、トリガー方式のように吐出レバーを引いて回動させてもよい。
【００４８】
また例えば、本実施形態のポンプディスペンサー１Ａ，１Ｂ，１Ｃ及び吐出容器１０においては、把持部３をポンプディスペンサー１Ａ，１Ｂ，１Ｃに設けたが、該把持部３を容器本体１１に設けてもよい。また該把持部３は、必ずしも吐出方向Ｘと異なる方向に延出している必要はない。
【００４９】
また例えば、ポンプディスペンサー１Ｂでは、目盛部４０Ｂは、吐出レバー３を回動させる前の状態においては、吐出レバー３の上面３ｕから突出しないように形成したが、必ずしも突出しないようにする必要はなく、吐出レバー３の上面３ｕから僅かに突出していてもよい。
【００５０】
例えば、第２実施形態のポンプディスペンサー１Ｂでは、一枚の目盛部４０Ｂに表示された目盛４１Ｂを段階的に出現させて使用者に吐出量を知らせるようにしたが、各目盛４１Ｂが表示された複数枚の目盛部４０Ｂをそれぞれ出現させてもよい。
【００５１】
例えば、第３実施形態では、表示部４Ｃは、吐出レバー３の上面３ｕに目盛４１Ｃを配し、本体部２のハウジングの頂部に目印４２Ｃを配したが、吐出レバー３の上面３ｕに目印４２Ｃを配し、本体部２のハウジングの頂部に目盛４１Ｃを配し手もよい。表示部４Ｃを上記構成に配しても同様の効果を奏することができる。
【００５２】
また、前記の各実施形態は、本発明の趣旨を逸脱しない範囲で適宜に組み合わせることが可能である。
【符号の説明】
【００５３】
１Ａ〜１Ｃ  ポンプディスペンサー
２  本体部
２０  ポンプ機構
２１  吐出ノズル
２２  ハウジング
２３  把持部
２４  キャップ部
３  吐出レバー
３０  回動軸
３１  指当て部
３２  連結部材
３３  凹部
４Ａ〜４Ｃ  表示部
４０Ａ、４０Ｂ  目盛部
４１Ａ，４１Ｂ，４１Ｃ  目盛
４２Ａ，４２Ｂ，４２Ｃ  目印
４３Ａ  目盛面
４４Ａ  スリット部
【図１】
2019051948.tif 000003
【図２】
2019051948.tif 000004
【図３】
2019051948.tif 000005
【図４】
2019051948.tif 000006
【図５】
2019051948.tif 000007
【図６】
2019051948.tif 000008
【図７】
2019051948.tif 000009
【図８】
2019051948.tif 000010
【図９】
2019051948.tif 000011
【図１０】
2019051948.tif 000012
【図１１】
2019051948.tif 000013
【図１２】
2019051948.tif 000014
【図１３】
2019051948.tif 000015
【図１４】
2019051948.tif 000016
【図１５】
2019051948.tif 000017